(57)【要約】  【課題】  パソコンなどを用いなくてもＭＰ３プレイヤに音楽ファイルを転送できるようにし、また、ＭＰ３プレイヤを接続したときＭＰ３プレイヤの電池を充電できるようにするハードディスク付き光ディスク記録再生装置を提供する。  【解決手段】  ＭＰ３プレイヤＢと信号ラインＬ１および電源ラインＬ２を含むＵＳＢ９により接続可能に構成し、信号ラインＬ１によりＭＰ３プレイヤＢに音楽ファイルを転送可能にするＣＰＵ３を備えると共に、電源ラインＬ２によりＭＰ３プレイヤＢの電池２６を充電可能にした構成を有する。したがって、パソコンなどを用いなくても、ＭＰ３プレイヤＢに音楽ファイルを転送できるようになる。また、ＭＰ３プレイヤＢを接続したとき、その電池２６を充電することができる。【選択図】      図１
2006236540.tif 000002
【特許請求の範囲】
【請求項１】
光ディスクに対して情報の記録／再生を行うと共に、ハードディスクに対しても情報の
記録／再生を行うハードディスク付き光ディスク記録再生装置において、
ＭＰ３プレイヤと、信号ラインおよび電源ラインを含むインターフェイスにより接続可
能に構成し、前記信号ラインにより前記ＭＰ３プレイヤに音楽ファイルを転送可能にする
と共に、前記電源ラインにより前記ＭＰ３プレイヤの電池を充電可能にし、
光ディスクを高速早送りして光ディスクに記録されている音楽ファイルを前記ＭＰ３プ
レイヤに転送する場合、光ディスクに記録されている音楽ファイルが所定の音楽圧縮形式
によるファイルであるか否かを判定する第１の圧縮形式判定手段と、光ディスクに記録さ
れている音楽ファイルが所定の音楽圧縮形式によるファイルであると判定されたとき、前
記音楽ファイルをそのまま前記ＭＰ３プレイヤに転送する第１の転送手段と、光ディスク
に記録されている音楽ファイルが所定の音楽圧縮形式によるファイルでないと判定された
とき、前記音楽ファイルを所定の音楽圧縮形式のファイルに変換する第１の圧縮形式変換
手段と、前記変換されたファイルを前記ハードディスクに保存する第１の保存手段と、前
記高速早送りが終了したとき前記ハードディスクに保存された音楽ファイルを読み出し前
記ＭＰ３プレイヤに転送する第２の転送手段と、
光ディスクを通常再生して光ディスクに記録されている音楽ファイルを前記ＭＰ３プレ
イヤに転送する場合、光ディスクに記録されている音楽ファイルが所定の音楽圧縮形式に
よるファイルであるか否かを判定する第２の圧縮形式判定手段と、光ディスクに記録され
ている音楽ファイルが所定の音楽圧縮形式によるファイルであると判定されたとき、前記
音楽ファイルをそのまま前記ＭＰ３プレイヤに転送する第３の転送手段と、光ディスクに
記録されている音楽ファイルが所定の音楽圧縮形式によるファイルでないと判定されたと
き、前記音楽ファイルを所定の音楽圧縮形式のファイルに変換する第２の圧縮形式変換手
段と、前記変換されたファイルを前記ハードディスクに保存する第２の保存手段と、前記
通常再生が終了したとき前記ハードディスクに保存された音楽ファイルを読み出し前記Ｍ
Ｐ３プレイヤに転送する第４の転送手段とを有する中央演算処理装置を備えたことを特徴
とするハードディスク付き光ディスク記録再生装置。
【請求項２】
光ディスクに対して情報の記録／再生を行うと共に、ハードディスクに対しても情報の
記録／再生を行うハードディスク付き光ディスク記録再生装置において、ＭＰ３プレイヤ
と、信号ラインおよび電源ラインを含むインターフェイスにより接続可能に構成し、前記
信号ラインにより前記ＭＰ３プレイヤに音楽ファイルを転送可能にする中央演算処理装置
を備えると共に、前記電源ラインにより前記ＭＰ３プレイヤの電池を充電可能にした構成
を有することを特徴とするハードディスク付き光ディスク記録再生装置。
【請求項３】
前記中央演算処理装置は、光ディスクを高速早送りして光ディスクに記録されている音
楽ファイルを前記ＭＰ３プレイヤに転送する場合、光ディスクに記録されている音楽ファ
イルが所定の音楽圧縮形式によるファイルであるか否かを判定する第１の圧縮形式判定手
段と、光ディスクに記録されている音楽ファイルが所定の音楽圧縮形式によるファイルで
あると判定されたとき、前記音楽ファイルをそのまま前記ＭＰ３プレイヤに転送する第１
の転送手段と、光ディスクに記録されている音楽ファイルが所定の音楽圧縮形式によるフ
ァイルでないと判定されたとき、前記音楽ファイルを所定の音楽圧縮形式のファイルに変
換する第１の圧縮形式変換手段と、前記変換されたファイルを前記ハードディスクに保存
する第１の保存手段と、前記高速早送りが終了したとき前記ハードディスクに保存された
音楽ファイルを読み出し前記ＭＰ３プレイヤに転送する第２の転送手段とを有することを
特徴とする請求項２に記載のハードディスク付き光ディスク記録再生装置。
【請求項４】
前記中央演算処理装置は、光ディスクを通常再生して光ディスクに記録されている音楽
ファイルを前記ＭＰ３プレイヤに転送する場合、光ディスクに記録されている音楽ファイ
ルが所定の音楽圧縮形式によるファイルであるか否かを判定する第２の圧縮形式判定手段
と、光ディスクに記録されている音楽ファイルが所定の音楽圧縮形式によるファイルであ
ると判定されたとき、前記音楽ファイルをそのまま前記ＭＰ３プレイヤに転送する第３の
転送手段と、光ディスクに記録されている音楽ファイルが所定の音楽圧縮形式によるファ
イルでないと判定されたとき、前記音楽ファイルを所定の音楽圧縮形式のファイルに変換
する第２の圧縮形式変換手段と、前記変換されたファイルを前記ハードディスクに保存す
る第２の保存手段と、前記通常再生が終了したとき前記ハードディスクに保存された音楽
ファイルを読み出し前記ＭＰ３プレイヤに転送する第４の転送手段とを有することを特徴
とする請求項２に記載のハードディスク付き光ディスク記録再生装置。
【発明の詳細な説明】
【技術分野】
【０００１】
本発明は、ＭＰ３プレイヤを接続することが可能なハードディスク付き光ディスク記録
再生装置に関する。
【背景技術】
【０００２】
近年、光ディスクとして、ＣＤ（コンパクト・ディスク）よりも大量のデータを記録で
きるＤＶＤ（デジタル・バーサタイル・ディスク）が普及している。このようなＤＶＤは
、主に映画などのように大量の映像音声データを記録するのに用いられている。そして、
ＤＶＤに情報を記録したり、ＤＶＤに記録された情報を再生したりする光ディスク記録再
生装置としてのＤＶＤレコーダも普及している。また、従来からパーソナルコンピュータ
などの記憶装置として用いられているハードディスクドライブもＤＶＤレコーダ内に備え
、ハードディスクに対しても情報の記録／再生を行えるハードディスク付きＤＶＤレコー
ダ（ハードディスク付き光ディスク記録再生装置）も普及しつつある。
【０００３】
また、デジタルカムコーダ、デジタルスチールカメラ、ＭＰ３プレイヤ、ボイスレコー
ダなどのような各製品の特定機能を集積してパッケージ化した映像および音声情報記録再
生装置が知られている（特許文献１参照）。また、パーソナルコンピュータにおいて用い
られるＣＤ駆動装置とＤＶＤ駆動装置とＦＭラジオとＭＰ３音楽ＣＤプレイヤとの機能を
有する多機能光ディスク駆動装置が知られている（特許文献２参照）。
【特許文献１】特開２００４−２１５２６２号公報
【特許文献２】特開２００４−１７１７４５号公報
【発明の開示】
【発明が解決しようとする課題】
【０００４】
ところで、前述したように、ハードディスク付きＤＶＤレコーダが普及しつつあるが、
このようなハードディスク付きＤＶＤレコーダを用いてＭＰ３プレイヤに音楽ファイルを
転送して記録し、ＭＰ３プレイヤで音楽を再生できるようにしたい要望がある。また、Ｍ
Ｐ３プレイヤをハードディスク付きＤＶＤレコーダに接続したとき、ＭＰ３プレイヤの電
池を充電できるようにしたい要望もある。
【０００５】
しかし、特許文献１の従来技術では、ＭＰ３プレイヤからの音響信号を圧縮してハード
ディスクなどに記録するようにしているが、ハードディスク付きＤＶＤレコーダ（ハード
ディスク付き光ディスク記録再生装置）を用いてＭＰ３プレイヤに音楽ファイルを転送し
て記録し、ＭＰ３プレイヤで音楽を再生できるようにしたものではない。また、ＭＰ３プ
レイヤをハードディスク付きＤＶＤレコーダに接続したとき、ＭＰ３プレイヤの電池を充
電できるようにしたものではない。
【０００６】
また、特許文献２の従来技術では、ＭＰ３音楽ＣＤプレイヤの機能も含む多機能光ディ
スク駆動装置により音楽を再生できるようにしているが、この従来技術も、ハードディス
ク付きＤＶＤレコーダ（ハードディスク付き光ディスク記録再生装置）を用いてＭＰ３プ
レイヤに音楽ファイルを転送して記録し、ＭＰ３プレイヤで音楽を再生できるようにした
ものではない。また、ＭＰ３プレイヤをハードディスク付きＤＶＤレコーダ（ハードディ
スク付き光ディスク記録再生装置）に接続したとき、ＭＰ３プレイヤの電池を充電できる
ようにしたものではない。
【０００７】
本発明は、上記のような課題を解決するためになされたもので、パーソナルコンピュー
タなどを用いなくても、ＭＰ３プレイヤに音楽ファイルを転送できるようにし、また、Ｍ
Ｐ３プレイヤを接続したとき、ＭＰ３プレイヤの電池を充電できるようにするハードディ
スク付き光ディスク記録再生装置を提供することを目的とする。
【課題を解決するための手段】
【０００８】
上記目的を達成するために、請求項１の発明は、光ディスクに対して情報の記録／再生
を行うと共に、ハードディスクに対しても情報の記録／再生を行うハードディスク付き光
ディスク記録再生装置において、ＭＰ３プレイヤと、信号ラインおよび電源ラインを含む
インターフェイスにより接続可能に構成し、前記信号ラインにより前記ＭＰ３プレイヤに
音楽ファイルを転送可能にすると共に、前記電源ラインにより前記ＭＰ３プレイヤの電池
を充電可能にし、光ディスクを高速早送りして光ディスクに記録されている音楽ファイル
を前記ＭＰ３プレイヤに転送する場合、光ディスクに記録されている音楽ファイルが所定
の音楽圧縮形式によるファイルであるか否かを判定する第１の圧縮形式判定手段と、光デ
ィスクに記録されている音楽ファイルが所定の音楽圧縮形式によるファイルであると判定
されたとき、前記音楽ファイルをそのまま前記ＭＰ３プレイヤに転送する第１の転送手段
と、光ディスクに記録されている音楽ファイルが所定の音楽圧縮形式によるファイルでな
いと判定されたとき、前記音楽ファイルを所定の音楽圧縮形式のファイルに変換する第１
の圧縮形式変換手段と、前記変換されたファイルを前記ハードディスクに保存する第１の
保存手段と、前記高速早送りが終了したとき前記ハードディスクに保存された音楽ファイ
ルを読み出し前記ＭＰ３プレイヤに転送する第２の転送手段と、光ディスクを通常再生し
て光ディスクに記録されている音楽ファイルを前記ＭＰ３プレイヤに転送する場合、光デ
ィスクに記録されている音楽ファイルが所定の音楽圧縮形式によるファイルであるか否か
を判定する第２の圧縮形式判定手段と、光ディスクに記録されている音楽ファイルが所定
の音楽圧縮形式によるファイルであると判定されたとき、前記音楽ファイルをそのまま前
記ＭＰ３プレイヤに転送する第３の転送手段と、光ディスクに記録されている音楽ファイ
ルが所定の音楽圧縮形式によるファイルでないと判定されたとき、前記音楽ファイルを所
定の音楽圧縮形式のファイルに変換する第２の圧縮形式変換手段と、前記変換されたファ
イルを前記ハードディスクに保存する第２の保存手段と、前記通常再生が終了したとき前
記ハードディスクに保存された音楽ファイルを読み出し前記ＭＰ３プレイヤに転送する第
４の転送手段とを有する中央演算処理装置を備えたことを特徴とするハードディスク付き
光ディスク記録再生装置を提供する。
【０００９】
この構成において、先ず、ハードディスク付き光ディスク記録再生装置からＭＰ３プレ
イヤに音楽ファイルを転送するため、このハードディスク付き光ディスク記録再生装置に
ＭＰ３プレイヤをインターフェイスによって接続する。そして、光ディスクを高速早送り
して光ディスクに記録されている音楽ファイルをＭＰ３プレイヤに転送する場合、前記音
楽ファイルが所定の音楽圧縮形式であるか否かが第１の圧縮形式判定手段により判定され
る。前記音楽ファイルが所定の音楽圧縮形式であれば、第１の転送手段により、前記音楽
ファイルは、そのままＭＰ３プレイヤに転送される。
【００１０】
一方、前記音楽ファイルが所定の音楽圧縮形式でなければ、前記音楽ファイルは、第１
の圧縮形式変換手段により、所定の音楽圧縮形式の音楽ファイルに変換される。その後、
第１の保存手段により、前記変換した音楽ファイルがハードディスクに保存される。そし
て、高速早送りが終了すると、ハードディスクに保存された音楽ファイルは、第２の転送
手段により読み出され、ＭＰ３プレイヤに転送される。
【００１１】
光ディスクを通常再生して光ディスクに記録されている音楽ファイルをＭＰ３プレイヤ
に転送する場合、前記音楽ファイルが所定の音楽圧縮形式であるか否かが第２の圧縮形式
判定手段により判定される。前記音楽ファイルが所定の音楽圧縮形式であれば、第２の転
送手段により、前記音楽ファイルは、そのままＭＰ３プレイヤに転送される。
【００１２】
一方、前記音楽ファイルが所定の音楽圧縮形式でなければ、光ディスクから読み出され
た音楽ファイルが、第２の圧縮形式変換手段により、所定の音楽圧縮形式の音楽ファイル
に変換される。その後、第２の保存手段により、前記変換された音楽ファイルがハードデ
ィスクに保存される。そして、通常再生が終了すると、ハードディスクに保存された音楽
ファイルは、第４の転送手段によりＭＰ３プレイヤに転送される。
【００１３】
また、光ディスク記録再生装置にＭＰ３プレイヤがインターフェイスを介して接続され
ているときは、ＭＰ３プレイヤの電池には、インターフェイスに含まれる電源ラインを介
して光ディスク記録再生装置の電源部からの電源電圧が供給されるので、ＭＰ３プレイヤ
の電池が充電されることになる。
【００１４】
この構成によれば、パーソナルコンピュータなどを用いなくても、このハードディスク
付き光ディスク記録再生装置によりＭＰ３プレイヤに音楽ファイルを転送できるようにな
り、これにより、ＭＰ３プレイヤでは、転送されてきた音楽ファイルを記録することがで
き、したがって、その記録された音楽ファイルを再生することによって、新たな音楽も聴
くこともでき、ＭＰ３プレイヤを十分に活用することができる。また、このハードディス
ク付き光ディスク記録再生装置は、ＭＰ３プレイヤに音楽ファイルを転送することもでき
るので、汎用性が高まる。また、このハードディスク付き光ディスク記録再生装置にＭＰ
３プレイヤを接続したとき、ＭＰ３プレイヤの電池を充電することができるので、ユーザ
にとっては便利になる。
【００１５】
請求項２の発明は、光ディスクに対して情報の記録／再生を行うと共に、ハードディス
クに対しても情報の記録／再生を行うハードディスク付き光ディスク記録再生装置におい
て、ＭＰ３プレイヤと、信号ラインおよび電源ラインを含むインターフェイスにより接続
可能に構成し、前記信号ラインにより前記ＭＰ３プレイヤに音楽ファイルを転送可能にす
る中央演算処理装置を備えると共に、前記電源ラインにより前記ＭＰ３プレイヤの電池を
充電可能にした構成を有することを特徴とするハードディスク付き光ディスク記録再生装
置を提供する。
【００１６】
この構成において、ハードディスク付き光ディスク記録再生装置からの音楽ファイルは
、インターフェイスの信号ラインを介してＭＰ３プレイヤに転送される。また、ハードデ
ィスク付き光ディスク記録再生装置からの電源電圧は、インターフェイスの電源ラインを
介してＭＰ３プレイヤの電池に供給される。
【００１７】
この構成によれば、パーソナルコンピュータなどを用いなくても、このハードディスク
付き光ディスク記録再生装置によりＭＰ３プレイヤに音楽ファイルを転送できるようにな
り、これにより、ＭＰ３プレイヤでは、転送されてきた音楽ファイルを記録することがで
き、したがって、その記録された音楽ファイルを再生することによって、新たな音楽も聴
くこともでき、ＭＰ３プレイヤを十分に活用することができる。また、このハードディス
ク付き光ディスク記録再生装置は、ＭＰ３プレイヤに音楽ファイルを転送することもでき
るので、汎用性が高まる。また、このハードディスク付き光ディスク記録再生装置にＭＰ
３プレイヤを接続したとき、ＭＰ３プレイヤの電池を充電することができるので、ユーザ
にとっては便利になる。
【００１８】
請求項３の発明では、請求項２の発明において、前記中央演算処理装置は、光ディスク
を高速早送りして光ディスクに記録されている音楽ファイルを前記ＭＰ３プレイヤに転送
する場合、光ディスクに記録されている音楽ファイルが所定の音楽圧縮形式によるファイ
ルであるか否かを判定する第１の圧縮形式判定手段と、光ディスクに記録されている音楽
ファイルが所定の音楽圧縮形式によるファイルであると判定されたとき、前記音楽ファイ
ルをそのまま前記ＭＰ３プレイヤに転送する第１の転送手段と、光ディスクに記録されて
いる音楽ファイルが所定の音楽圧縮形式によるファイルでないと判定されたとき、前記音
楽ファイルを所定の音楽圧縮形式のファイルに変換する第１の圧縮形式変換手段と、前記
変換されたファイルを前記ハードディスクに保存する第１の保存手段と、前記高速早送り
が終了したとき前記ハードディスクに保存された音楽ファイルを読み出し前記ＭＰ３プレ
イヤに転送する第２の転送手段とを有する。
【００１９】
したがって、光ディスク記録再生装置側において、高速早送りで光ディスクに記録され
ている音楽ファイルを読み出して、ＭＰ３プレイヤに転送する処理を実現でき、これによ
り、ＭＰ３プレイヤへの音楽ファイルの転送が早くできる。
【００２０】
請求項４の発明では、請求項２の発明において、前記中央演算処理装置は、光ディスク
を通常再生して光ディスクに記録されている音楽ファイルを前記ＭＰ３プレイヤに転送す
る場合、光ディスクに記録されている音楽ファイルが所定の音楽圧縮形式によるファイル
であるか否かを判定する第２の圧縮形式判定手段と、光ディスクに記録されている音楽フ
ァイルが所定の音楽圧縮形式によるファイルであると判定されたとき、前記音楽ファイル
をそのまま前記ＭＰ３プレイヤに転送する第３の転送手段と、光ディスクに記録されてい
る音楽ファイルが所定の音楽圧縮形式によるファイルでないと判定されたとき、前記音楽
ファイルを所定の音楽圧縮形式のファイルに変換する第２の圧縮形式変換手段と、前記変
換されたファイルを前記ハードディスクに保存する第２の保存手段と、前記通常再生が終
了したとき前記ハードディスクに保存された音楽ファイルを読み出し前記ＭＰ３プレイヤ
に転送する第４の転送手段とを有する。
【００２１】
したがって、光ディスク記録再生装置側において、通常再生で光ディスクに記録されて
いる音楽ファイルを読み出して、ＭＰ３プレイヤに転送する処理を実現でき、これにより
、ユーザは音楽を聴きながらＭＰ３プレイヤへの音楽ファイルの転送ができる。
【発明の効果】
【００２２】
以上のように本発明によれば、光ディスクに対して情報の記録／再生を行うと共に、ハ
ードディスクに対しても情報の記録／再生を行うハードディスク付き光ディスク記録再生
装置において、ＭＰ３プレイヤと、信号ラインおよび電源ラインを含むインターフェイス
により接続可能に構成し、前記信号ラインにより前記ＭＰ３プレイヤに音楽ファイルを転
送可能にすると共に、前記電源ラインにより前記ＭＰ３プレイヤの電池を充電可能にし、
光ディスクを高速早送りして光ディスクに記録されている音楽ファイルを前記ＭＰ３プレ
イヤに転送する場合、光ディスクに記録されている音楽ファイルが所定の音楽圧縮形式に
よるファイルであるか否かを判定する第１の圧縮形式判定手段と、光ディスクに記録され
ている音楽ファイルが所定の音楽圧縮形式によるファイルであると判定されたとき、前記
音楽ファイルをそのまま前記ＭＰ３プレイヤに転送する第１の転送手段と、光ディスクに
記録されている音楽ファイルが所定の音楽圧縮形式によるファイルでないと判定されたと
き、前記音楽ファイルを所定の音楽圧縮形式のファイルに変換する第１の圧縮形式変換手
段と、前記変換されたファイルを前記ハードディスクに保存する第１の保存手段と、前記
高速早送りが終了したとき前記ハードディスクに保存された音楽ファイルを読み出し前記
ＭＰ３プレイヤに転送する第２の転送手段と、光ディスクを通常再生して光ディスクに記
録されている音楽ファイルを前記ＭＰ３プレイヤに転送する場合、光ディスクに記録され
ている音楽ファイルが所定の音楽圧縮形式によるファイルであるか否かを判定する第２の
圧縮形式判定手段と、光ディスクに記録されている音楽ファイルが所定の音楽圧縮形式に
よるファイルであると判定されたとき、前記音楽ファイルをそのまま前記ＭＰ３プレイヤ
に転送する第３の転送手段と、光ディスクに記録されている音楽ファイルが所定の音楽圧
縮形式によるファイルでないと判定されたとき、前記音楽ファイルを所定の音楽圧縮形式
のファイルに変換する第２の圧縮形式変換手段と、前記変換されたファイルを前記ハード
ディスクに保存する第２の保存手段と、前記通常再生が終了したとき前記ハードディスク
に保存された音楽ファイルを読み出し前記ＭＰ３プレイヤに転送する第４の転送手段とを
有する中央演算処理装置を備えたので、パーソナルコンピュータなどを用いなくても、こ
のハードディスク付き光ディスク記録再生装置によりＭＰ３プレイヤに音楽ファイルを転
送できるようになり、これにより、ＭＰ３プレイヤでは、転送されてきた音楽ファイルを
記録することができ、したがって、その記録された音楽ファイルを再生することによって
、新たな音楽も聴くこともでき、ＭＰ３プレイヤを十分に活用することができる。また、
このハードディスク付き光ディスク記録再生装置は、ＭＰ３プレイヤに音楽ファイルを転
送することもできるので、汎用性が高まる。また、このハードディスク付き光ディスク記
録再生装置にＭＰ３プレイヤを接続したとき、ＭＰ３プレイヤの電池を充電することがで
きるので、ユーザにとっては便利になる。
【００２３】
また、本発明によれば、光ディスクに対して情報の記録／再生を行うと共に、ハードデ
ィスクに対しても情報の記録／再生を行うハードディスク付き光ディスク記録再生装置に
おいて、ＭＰ３プレイヤと信号ラインおよび電源ラインを含むインターフェイスにより接
続可能に構成し、前記信号ラインにより前記ＭＰ３プレイヤに音楽ファイルを転送可能に
する中央演算処理装置を備えると共に、前記電源ラインにより前記ＭＰ３プレイヤの電池
を充電可能にした構成を有するので、パーソナルコンピュータなどを用いなくても、この
ハードディスク付き光ディスク記録再生装置によりＭＰ３プレイヤに音楽ファイルを転送
できるようになり、これにより、ＭＰ３プレイヤでは、転送されてきた音楽ファイルを記
録することができ、したがって、その記録された音楽ファイルを再生することによって、
新たな音楽も聴くこともでき、ＭＰ３プレイヤを十分に活用することができる。また、こ
のハードディスク付き光ディスク記録再生装置は、ＭＰ３プレイヤに音楽ファイルを転送
することもできるので、汎用性が高まる。また、このハードディスク付き光ディスク記録
再生装置にＭＰ３プレイヤを接続したとき、ＭＰ３プレイヤの電池を充電することができ
るので、ユーザにとっては便利になる。
【発明を実施するための最良の形態】
【００２４】
以下、添付図面を参照しつつ、本発明の実施の形態について説明する。図１は本発明の
一実施形態に係るハードディスク付き光ディスク記録再生装置としてのハードディスク付
きＤＶＤレコーダの構成と、このＤＶＤレコーダに接続されるＭＰ３プレイヤの構成とを
示すブロック図である。
【００２５】
図１において、ハードディスク付きＤＶＤレコーダＡは、光ディスク（ＣＤまたはＤＶ
Ｄ）１に対して情報の記録／再生を行うディスク記録再生部（ディスクドライブとも言う
）２と、ハードディスク６に対して情報の記録／再生を行うハードディスク記録再生部（
ハードディスクドライブとも言う）７と、このＤＶＤレコーダＡの各構成要素を制御した
り所定の処理をしたりするＣＰＵ（中央演算処理装置）３と、このＣＰＵ３が行う制御や
処理に必要なプログラムやデータを記憶するフラッシュＲＯＭ４と、ＣＰＵ３が制御や処
理を行うときに必要なデータを一時的に格納するＲＡＭ５と、ＤＶＤレコーダＡ内の各構
成要素に電源電圧を供給する電源部８とを備えている。
【００２６】
なお、ディスク記録再生部２は、テレビ放送受信用のチューナや他の映像音声再生機器
などからの映像音声信号をラインＬ３を介して入力して映像音声信号を記録したり、光デ
ィスク１に記録された映像音声信号を再生してラインＬ４を介してテレビ受信機などに出
力したりすることができる。また、ハードディスク記録再生部７は、テレビ放送受信用の
チューナや他の映像音声再生機器などからの映像音声信号をラインＬ５を介して入力して
映像音声信号を記録したり、ハードディスク６に記録された映像音声信号を再生してライ
ンＬ６を介してテレビ受信機などに出力したりすることができる。また、ディスク記録再
生部２からの再生信号はラインＬ７を介してハードディスク記録再生装置７に入力でき、
ハードディスク記録再生装置７からの再生信号はラインＬ７を介してディスク記録再生部
２に入力できるので、光ディスク１の情報をハードディスク６に記録させたり、ハードデ
ィスク６の情報を光ディスク１に記録させたりすることができる。
【００２７】
ＣＰＵ３は、光ディスク１を高速早送りして光ディスク１に記録されている音楽ファイ
ルをＭＰ３プレイヤＢに転送する場合、光ディスク１に記録されている音楽ファイルが所
定の音楽圧縮形式によるファイルであるか否かを判定する第１の圧縮形式判定手段３０と
、光ディスク１に記録されている音楽ファイルが所定の音楽圧縮形式によるファイルであ
ると判定されたとき、前記音楽ファイルをそのままＭＰ３プレイヤＢに転送する第１の転
送手段３１と、光ディスク１に記録されている音楽ファイルが所定の音楽圧縮形式による
ファイルでないと判定されたとき、前記音楽ファイルを所定の音楽圧縮形式のファイルに
変換する第１の圧縮形式変換手段３２と、前記変換されたファイルをハードディスク６に
保存する第１の保存手段３３と、高速早送りが終了したときハードディスク６に保存され
た音楽ファイルを読み出しＭＰ３プレイヤＢに転送する第２の転送手段３４と有する。
【００２８】
また、ＣＰＵ３は、光ディスク１を通常再生して光ディスク１に記録されている音楽フ
ァイルをＭＰ３プレイヤＢに転送する場合、光ディスク１に記録されている音楽ファイル
が所定の音楽圧縮形式（ＭＰ３圧縮形式、ＷＡＶＥ圧縮形式、ＷＭＡ圧縮形式など）によ
るファイルであるか否かを判定する第２の圧縮形式判定手段３５と、光ディスク１に記録
されている音楽ファイルが所定の音楽圧縮形式によるファイルであると判定されたとき、
前記音楽ファイルをそのままＭＰ３プレイヤＢに転送する第３の転送手段３６と、光ディ
スク１に記録されている音楽ファイルが所定の音楽圧縮形式によるファイルでないと判定
されたとき、前記音楽ファイルを所定の音楽圧縮形式（ＭＰ３圧縮形式、ＷＡＶＥ圧縮形
式、ＷＭＡ圧縮形式など）のファイルに変換する第２の圧縮形式変換手段３７と、前記変
換されたファイルをハードディスク６に保存する第２の保存手段３８と、通常再生が終了
したときハードディスク６に保存された音楽ファイルを読み出しＭＰ３プレイヤＢに転送
する第４の転送手段３９とを有する。
【００２９】
ＭＰ３プレイヤＢは、ＤＶＤレコーダＡからＵＳＢ（Universal Serial Bus）９を介し
て送られてきた音楽ファイルをハードディスク２２またはフラッシュＲＯＭ２３に記録さ
せる記録部２１と、ハードディスク２２またはフラッシュＲＯＭ２３に記録された音楽フ
ァイルを読み出して再生する再生部２４と、ＭＰ３プレイヤの各構成要素に電源電圧を供
給する電池２６を有する電源部２５とを備えている。ＤＶＤレコーダＡ内のハードディス
ク記録再生部７の出力端は、例えばＵＳＢ９の信号ラインＬ１を介してＭＰ３プレイヤＢ
内の記録部２１に接続され、ＤＶＤレコーダＡ内の電源部８の出力端は、例えばＵＳＢ９
の電源ラインＬ２を介して電源部２５に接続される。
【００３０】
図２は本実施形態においてハードディスク付きＤＶＤレコーダＡからＭＰ３プレイヤＢ
に音楽ファイルを転送する処理を説明するためのフローチャートである。このフローチャ
ートを参照してハードディスク付きＤＶＤレコーダＡからＭＰ３プレイヤＢに音楽ファイ
ルを転送する処理について説明する。なお、以下の処理では、音楽ファイルがＭＰ３圧縮
形式の音楽ファイルであるとして説明するが、ＷＡＶＥ圧縮形式の音楽ファイルや、ＷＭ
Ａ圧縮形式の音楽ファイルなどであった場合は、それぞれの圧縮形式に変換することによ
り同様な処理を行うことができる。
【００３１】
先ず、ハードディスク付きＤＶＤレコーダＡからＭＰ３プレイヤＢに音楽ファイルを転
送するため、このＤＶＤレコーダＡにＭＰ３プレイヤＢをＵＳＢ９によって接続する（ス
テップＳ１）。そして、ユーザは、高速早送りモードを用いて転送処理するか、通常再生
モードを用いて音楽を再生して聴きながら転送処理するかを、リモコンなどのキー操作に
より設定する。
【００３２】
キー操作により高速早送りモードに設定された場合（ステップＳ２）は、ディスク記録
再生部２はＣＰＵ３の制御に従って光ディスク１を高速早送りする（ステップＳ３）。こ
れにより、ディスク記録再生部２は、光ディスク１に記録されている音楽ファイルのデー
タを高速で読み取り、再生データを出力する。そして、ＣＰＵ３の第１の圧縮形式判定手
段３０は、ディスク情報により前記再生データ（再生された音楽ファイル）がＭＰ３圧縮
形式であるか否かを判定する（ステップＳ４）。
【００３３】
前記再生データがＭＰ３圧縮形式であれば、即ち、ＤＶＤレコーダＡに今装填されてい
る光ディスク１に記録されている音楽ファイルがＭＰ３圧縮形式であれば、ＣＰＵ３の第
１の転送手段３１は、前記再生データ（再生された音楽ファイル）をそのままＵＳＢ９を
介してＭＰ３プレイヤＢに転送する（ステップＳ５）。この場合、ディスク記録再生部２
からの再生データは、ハードディスク記録再生部７をスルーパスしてＵＳＢ９に送出され
、ＭＰ３プレイヤＢに転送される。あるいは、ディスク記録再生部２からの再生データを
直接ＵＳＢ９に送出し、ＭＰ３プレイヤＢに転送しても良い。この後、高速早送りが終了
して（ステップＳ６）、転送が完了すると（ステップＳ７）、ＭＰ３プレイヤＢがＤＶＤ
レコーダＡから切り離され（ステップＳ８）、本処理が終了する。
【００３４】
一方、ステップＳ４において、前記再生データがＭＰ３圧縮形式でなければ、即ち、Ｄ
ＶＤレコーダＡに今装填されている光ディスク１に記録されている音楽ファイルがＭＰ３
圧縮形式でなければ、ＣＰＵ３の第１の圧縮形式変換手段３２は、変換対象の再生データ
を順次ＲＡＭ５に一時的に格納し、その再生データ（音楽ファイル）をＭＰ３圧縮形式の
音楽ファイルに変換し（ステップＳ９）、ＣＰＵ３はハードディスク記録再生部７を制御
して、第１の保存手段３３により、前記変換した再生データ（音楽ファイル）をハードデ
ィスク６に保存して行く（ステップＳ１０）。
【００３５】
そして、高速早送りが終了すると（ステップＳ１１）、ＣＰＵ３の第２の転送手段３４
は、ハードディスク６に保存された音楽ファイルをハードディスク記録再生部７を介して
読み出し、ＭＰ３プレイヤＢに転送する（ステップＳ１２）。この転送が完了すると（ス
テップＳ７）、ＭＰ３プレイヤＢがＤＶＤレコーダＡから切り離され（ステップＳ８）、
本処理が終了する。ＭＰ３プレイヤＢがＤＶＤレコーダＡから切り離されると、ＭＰ３プ
レイヤＢは、内蔵の電池２６により駆動するので、携帯のプレイヤとして使用可能になる
。
【００３６】
次に、リモコンなどのキー操作により、通常再生モードに設定された場合（ステップＳ
２）は、ディスク記録再生部２はＣＰＵ３の制御に従って光ディスク１を通常再生する（
ステップＳ１３）。これにより、ディスク記録再生部２は光ディスク１の情報を読み取り
、再生データ（音楽ファイル）を出力する。そして、ＣＰＵ３の第２の圧縮形式判定手段
３５は、ディスク情報により前記再生データ（音楽ファイル）がＭＰ３圧縮形式であるか
否かを判定する（ステップＳ１４）。
【００３７】
前記再生データ（音楽ファイル）がＭＰ３圧縮形式であれば、即ち、ＤＶＤレコーダＡ
に今装填されている光ディスク１に記録されている音楽ファイルがＭＰ３圧縮形式であれ
ば、ＣＰＵ３の第３の転送手段３６は、前記再生データ（音楽ファイル）をそのままＵＳ
Ｂ９を介してＭＰ３プレイヤＢに転送する（ステップＳ１５）。この場合、ディスク記録
再生部２からの再生データは、ハードディスク記録再生部７をスルーパスしてＵＳＢ９に
送出され、ＭＰ３プレイヤＢに転送される。あるいは、ディスク記録再生部２からの再生
データを直接ＵＳＢ９に送出し、ＭＰ３プレイヤＢに転送しても良い。この後、通常再生
が終了して（ステップＳ１６）、転送が完了すると（ステップＳ７）、ＭＰ３プレイヤＢ
がＤＶＤレコーダＡから切り離され（ステップＳ８）、本処理が終了する。ＭＰ３プレイ
ヤＢがＤＶＤレコーダＡから切り離されると、ＭＰ３プレイヤＢは、内蔵の電池２６によ
り駆動するので、携帯のプレイヤとして使用可能になる。
【００３８】
一方、ステップＳ１４において、前記再生データがＭＰ３圧縮形式でなければ、即ち、
ＤＶＤレコーダＡに装填されている光ディスク１がＭＰ３圧縮形式で記録されている音楽
ファイルでなければ、ＣＰＵ３の第２の圧縮形式変換手段３７は、変換対象の再生データ
を順次ＲＡＭ５に一時的に格納し、その再生データ（音楽ファイル）をＭＰ３圧縮形式の
音楽ファイルに変換して（ステップＳ１７）、ＣＰＵ３はハードディスク記録再生部７を
制御して、第２の保存手段３８により、前記変換した音楽ファイルをハードディスク６に
保存して行く（ステップＳ１８）。
【００３９】
そして、通常再生が終了すると（ステップＳ１９）、ＣＰＵ３の第４の転送手段３９は
、ハードディスク６に保存された音楽ファイルをハードディスク記録再生部７を介して読
み出し、ＭＰ３プレイヤＢに転送する（ステップＳ２０）。この転送が完了すると（ステ
ップＳ７）、ＭＰ３プレイヤＢがＤＶＤレコーダＡから切り離され（ステップＳ８）、本
処理が終了する。ＭＰ３プレイヤＢがＤＶＤレコーダＡから切り離されると、ＭＰ３プレ
イヤＢは、内蔵の電池２６により駆動するので、携帯のプレイヤとして使用可能になる。
【００４０】
なお、以上説明した転送処理では、ＤＶＤレコーダＡにおいて光ディスク１から再生し
た音楽ファイルがＭＰ３圧縮形式でない場合、その音楽ファイルをＭＰ３圧縮形式に変換
し、高速早送りが終了するまで、または通常再生が終了するまで、前記変換した音楽ファ
イルを全部ハードディスク６に保存し、この後、ハードディスク６から音楽ファイルを読
み出してＭＰ３プレイヤＢに転送したが、高速早送りまたは通常再生をしながら、ハード
ディスク６に保存された音楽ファイルを少しづつＭＰ３プレイヤＢに転送することも可能
であるが、この場合は、ＣＰＵ３は、早送り処理または通常再生処理、変換処理、保存処
理、および転送処理をほぼ並行して行わなければならないので、全体として処理が複雑化
する傾向がある。また、ＣＰＵ３は、ほぼ並行には処理はできるが、実際は、例えばハー
ドディスク６に保存する処理と、ハードディスク６から読み出して転送する処理とは、同
時に実行することは不可能であるので、かえって転送が完了するまでの時間が多くかかる
ことも考えられる。
【００４１】
本実施形態の転送処理によれば、パーソナルコンピュータなどを用いなくても、このハ
ードディスク付きＤＶＤレコーダＡによりＭＰ３プレイヤＢに音楽ファイルを転送できる
ようになり、これにより、ＭＰ３プレイヤＢでは、転送されてきた音楽ファイルを記録す
ることができ、したがって、その記録された音楽ファイルを再生することによって、新た
な音楽も聴くこともでき、ＭＰ３プレイヤＢを十分に活用することができる。また、この
ハードディスク付きＤＶＤレコーダＡは、ＭＰ３プレイヤＢに音楽ファイルを転送するこ
ともできるので、汎用性が高まる。
【００４２】
図３はＤＶＤレコーダＡにＭＰ３プレイヤＢを接続した場合においてＭＰ３プレイヤＢ
の電池２６を充電する処理を説明するためのフローチャートである。このフローチャート
を参照してＤＶＤレコーダＡにＭＰ３プレイヤＢを接続した場合においてＭＰ３プレイヤ
Ｂの電池２６を充電する処理について説明する。
【００４３】
ＤＶＤレコーダＡにＭＰ３プレイヤＢを、ＵＳＢ９を介して接続すると（ステップＮ１
）、ＤＶＤレコーダＡの電源部８の出力端は電源ラインＬ２を介してＭＰ３プレイヤＢの
電源部２５の入力端に接続される。これにより、ＤＶＤレコーダＡの電源部８からの電源
電圧がＭＰ３プレイヤＢの電源部２５に供給され、電池２６への充電が開始される（ステ
ップＮ２）。
【００４４】
充電が開始されると、ＭＰ３プレイヤＢにおいて充電していることを知らせる例えば充
電報知灯（図示せず）を点灯させ、充電必要時間を表示部（図示せず）に表示させる（ス
テップＮ３）。なお、充電報知灯を充電時に点灯させるには、電源部２５の入力端に電圧
が印加されていることを検知する回路を備えれば実現できる。また、充電必要時間を表示
させるには、電池２６が充電される前の電池電圧を測定し、その電圧低下分に対応する充
電時間を算出する回路を備えれば実現できる。
【００４５】
そして、充電必要時間が経過して充電が完了すると（ステップＮ４）、充電報知灯を消
灯させる（ステップＮ５）。これで、充電が完了したので、ＭＰ３プレイヤＢをＤＶＤレ
コーダＡから切り離す（ステップ６）。なお、この例では、充電の完了を充電放置灯の消
灯によってユーザに知らせたが、充電が完了したことを知らせるブザーなどでも良い。ま
た、ＤＶＤレコーダＡが再生動作しているときに、充電が完了すると、これを検知して、
再生動作を停止させることによって、充電が完了したことをユーザに知らせても良い。
【００４６】
このように、ハードディスク付きＤＶＤレコーダＡにＭＰ３プレイヤＢを接続したとき
、ＭＰ３プレイヤＢの電池２６を充電することができるので、ユーザにとっては便利にな
る。
【図面の簡単な説明】
【００４７】
【図１】本発明の一実施形態に係るハードディスク付き光ディスク記録再生装置としてのハードディスク付きＤＶＤレコーダの構成と、このＤＶＤレコーダに接続されるＭＰ３プレイヤの構成とを示すブロック図である。
【図２】前記実施形態においてハードディスク付きＤＶＤレコーダからＭＰ３プレイヤに音楽ファイルを転送する処理を説明するためのフローチャートである。
【図３】前記実施形態においてＤＶＤレコーダにＭＰ３プレイヤを接続した場合においてＭＰ３プレイヤの電池を充電する処理を説明するためのフローチャートである。
【符号の説明】
【００４８】
Ａ    ハードディスク付きＤＶＤレコーダ
Ｂ    ＭＰ３プレイヤ
Ｌ１    信号ライン
Ｌ２    電源ライン
３    ＣＰＵ
６    ハードディスク
９    ＵＳＢ（インターフェイス）
２６    電池
３０    第１の圧縮形式判定手段
３１    第１の転送手段
３２    第１の圧縮形式変換手段
３３    第１の保存手段
３４    第２の転送手段
３５    第２の圧縮形式判定手段
３６    第３の転送手段
３７    第２の圧縮形式変換手段
３８    第２の保存手段
３９    第４の転送手段
【図１】
2006236540.tif 000003
【図２】
2006236540.tif 000004
【図３】
2006236540.tif 000005